(57)【要約】【課題】一方の端子群側にて特定したケーブルを他方の端子群側にて探索する場合に、その探索対象ケーブルの探索作業性を向上させ、特に暗い場合や狭い場所にて優れた作業性を発揮し得るケーブル探査装置を提供すること。【解決手段】ケーブル探査装置本体２１と、このケーブル探査装置本体２１に着脱自在に保持される検波器２２と、を具備し、ケーブル探査装置本体２１は、ケーブル探査装置本体２１の前方を照明する照明具２８および探査対象ケーブル５０が探査されたことを知らせる報知器３０とを備え、検波器２２は、当該検波器２２により探査対象ケーブル５０が探査された際に、この探査対象ケーブル５０側から発する高周波信号ｂを検出し、発生する高周波電力により報知器３０を作動させるようにした。【選択図】  図１
2006133081.tif 000002
【特許請求の範囲】
【請求項１】
ケーブル探査装置本体と、
上記ケーブル探査装置本体に着脱自在に保持される検波器と、を具備し、
上記ケーブル探査装置本体は、当該ケーブル探査装置本体の前方を照明する
照明具および探査対象ケーブルが探査されたことを知らせる報知器とを備え、
上記検波器は、当該検波器により探査対象ケーブルが探査された際に、この探査対象ケーブル側から発する高周波信号を検出し、発生する高周波電力により上記報知器を作動させるようにしたことを特徴とするケーブル探査装置。
【請求項２】
対をなして設けられるケーブル探査装置本体と、
上記ケーブル探査装置本体に着脱自在に保持される検波器と、を具備し、
上記ケーブル探査装置本体は、通信手段と、探査対象ケーブルが探査されたことを知らせる報知器とを備え、
上記通信手段は、対をなす他方のケーブル探査装置本体側の通信手段と通信可能に設けられ、
上記検波器は、当該検波器により探査対象ケーブルが探査された際に、この探査対象ケーブル側から発する高周波信号を検出し、発生する高周波電力により上記報知器を作動させるようにしたことを特徴とするケーブル探査装置。
【請求項３】
上記ケーブル探査装置本体には、検波器に対してループ接続される報知器を設けた検波表示回路を備え、
上記検波器は、探査対象ケーブル側から発信する高周波信号の電力を上記報知器に通電し得るようにしたことを特徴とする請求項１または２記載のケーブル探査装置。
【請求項４】
上記ケーブル探査装置本体は、撮像カメラを備えたことを特徴とする請求項１または２記載のケーブル探査装置。
【請求項５】
上記ケーブル探査装置本体は、無線または有線により通信するにあたり、この通信内容を画面表示し得る表示部を備えたことを特徴とする請求項１または２記載のケーブル探査装置。
【請求項６】
上記ケーブル探査装置本体は、検波器を着脱自在に保持するジャック部を備えたことを特徴とする請求項１または２記載のケーブル探査装置。
【請求項７】
上記ジャック部には、先端部に検波器を有し着脱自在に保持されるプローブを備えたことを特徴とする請求項６記載のケーブル探査装置。
【請求項８】
上記プローブには、先端部にケーブル掛具を備えたことを特徴とする請求項７記載のケーブル探査装置。
【請求項９】
上記報知器は、検波器により高周波信号を検知した際に励起される電流により発光するＬＥＤであることを特徴とする請求項１または２記載のケーブル探査装置。
【請求項１０】
上記報知器は、通電することにより光を発するＬＥＤであることを特徴とする請求項１または２記載のケーブル探査装置。
【請求項１１】
上記ケーブル探査装置本体は、通信手段を用いるにあたり、この通信内容を音声信号に変換して送受信可能に設けられるヘットボン・マイクを備えたことを特徴とする請求項２記載のケーブル探査装置。
【請求項１２】
上記ケーブル探査装置本体の通信手段は、探索対象ケーブルを介して通信可能にしたことを特徴とする請求項２記載のケーブル探査装置。
【請求項１３】
上記ケーブル探査装置本体の通信手段は、受信する音声信号を音声にて表示するスピーカを備えたことを特徴とする請求項２記載のケーブル探査装置。
【発明の詳細な説明】
【技術分野】
【０００１】
この発明は、配線路に配設された複数本のケーブル群の中から、探し出す対象とするケーブルを探査するケーブル探査装置に関する。
【背景技術】
【０００２】
従来、この種のケーブル探査装置として、ケーブルラックやケーブルダクト及びケーブルピット等の配線路に配設されたケーブル群の中から、探し出す対象とする１本のケーブルに磁界または電界を発生させ、これを検出することにより、探査対象ケーブルを特定するようにしたものがある。
【０００３】
このようなケーブル探査装置として、特開２００２−１６８８３３号公報（特許文献１参照）に開示されたものがある。特許文献１には、図５に示すように、ケーブル探査装置１が開示されている。
【０００４】
このケーブル探査装置１は、ケーブル群２の中から探査対象とするケーブル３を検出することができるものである。
【０００５】
このケーブル探査装置１は、ケーブル群２の中から探査対象であるケーブル３側と、探査非対象のケーブル４側から発信される信号の差を検出することにより、１本の探査対象ケーブル３を特定することができるようにしたものである。
【０００６】
このケーブル探査装置１は、ケーブル群２の内、１本の探査対象ケーブル３の一端側に接続される送信器５と、探査非対象ケーブル４側から発信される信号とを受信する受信器６と、から構成されている。
【０００７】
受信器６は、探査対象ケーブル３および探査非対象ケーブル４の途中部分に近接させて、それぞれのケーブル３，４側から発する信号を検知する信号検知器６ａ，６ｂと、この信号検知器６ａ，６ｂで検知した両ケーブル信号を入力して位相を比較する位相比較器７と、この位相比較器７にて比較の結果、差が検出されたことを表示する発光ダイオード８と、から構成される。
【０００８】
従って、ケーブル探査装置１の取扱者は、発光ダイオード８が点灯したことを確認することにより、探査対象ケーブル３を特定することができるようになっている。
【０００９】
また、従来、この種のケーブル探査装置として、ケーブルラックやケーブルダクト及びケーブルピット等の配線路に配設されたケーブル群の中から、１本の検査対象ケーブルを探査するために、その１本のケーブルに電界を発生させ、この磁電界から得られる磁気電界を検出することにより、探査対象ケーブルを特定するようにしたものがある。
【００１０】
このようなケーブル探査装置として、特開２００３−１２１４２０号公報（特許文献２参照）に開示されたものがある。
【００１１】
このケーブル探査装置１０は、図６に示すように、ケーブル群１２の中から探査対象ケーブル１３を検出することができるものである。
【００１２】
このケーブル探査装置１０は、ケーブル群１２の中から探査対象ケーブル１３側から電界を検知（検波）することにより、このケーブル１３を探査対象とする１本のケーブル１３であることを特定できるようにしたものである。
【００１３】
このケーブル探査装置１０は、探査対象ケーブル１３および他のケーブル１４を束ねたケーブル群１２の中から１本の探査対象ケーブル１３の一端側に接続される送信器１５と、この送信器１５側から送信された信号に基づき探査対象ケーブル１３の表面に励起される電界を検知する検知器１６と、から構成される。
【００１４】
検知器１６は、探査対象ケーブル１３の表面に起生する電界を検知する検知器１６ａと、このセンサ部１６ａにより検知した所定レベルの電界があったことを報知する検知部１６ｂとから構成される。
【００１５】
従って、ケーブル探査装置１０の取扱者は、検知器１６の検知部１６ｂ側から取扱者側へ所望の報知手段により報知されることにより、探査対象であるケーブル１３を特定することができるようになっている。
【特許文献１】特開２００３−１２１４２０号公報
【特許文献２】特開２００２−１６８８３３号公報
【発明の開示】
【発明が解決しようとする課題】
【００１６】
特許文献１および特許文献２によるケーブル探査装置１によれば、検知器１６により、探査対象ケーブル１３を検知可能なものであるが、探査対象ケーブル１３を前以て探り当てるまでの作業に時間がかかり作業性が悪かった。
【００１７】
特に作業場所が、非常に狭い場所であったり、暗い場所であったりすると、著しく作業性を損なうという欠点があった。
【００１８】
本発明は、上記の事情に鑑みてなされたもので、探索対象ケーブルの探索作業性を向上させ、特に暗い場合や狭い場所等の作業環境が悪い場所でも優れた作業性を発揮し得るケーブル探査装置を提供することを目的とする。
【課題を解決するための手段】
【００１９】
上記目的を達成するために、本発明によれば、ケーブル探査装置本体と、このケーブル探査装置本体に着脱自在に保持される検波器と、を具備し、上記ケーブル探査装置本体は、当該ケーブル探査装置本体の前方を照明する照明具および探査対象ケーブルが探査されたことを知らせる報知器とを備え、上記検波器は、当該検波器により探査対象ケーブルが探査された際に、この探査対象ケーブル側から発する高周波信号を検出し、発生する高周波電力により上記報知器を作動させるようにしたことを特徴とするケーブル探査装置を提供する。
【００２０】
上記目的を達成するために、本発明によれば、対をなして設けられるケーブル探査装置本体と、このケーブル探査装置本体に着脱自在に保持される検波器と、を具備し、上記ケーブル探査装置本体は、通信手段と、探査対象ケーブルが探査されたことを知らせる報知器とを備え、上記通信手段は、対をなす他方のケーブル探査装置本体側の通信手段と通信可能に設けられ、上記検波器は、当該検波器により探査対象ケーブルが探査された際に、この探査対象ケーブル側から発する高周波信号を検出し、発生する高周波電力により上記報知器を作動させるようにしたことを特徴とするケーブル探査装置を提供する。
【発明の効果】
【００２１】
本発明によれば、一方の端子群側にて特定したケーブルを他方の端子群側にて探索する場合に、その探索対象ケーブルの探索作業性を向上させ、特に暗い場合や狭い場所等の作業環境が悪い場所でも優れた作業性を発揮し得るケーブル探査装置を提供することができる。
【発明を実施するための最良の形態】
【００２２】
本発明に係るケーブル探査装置の実施形態について、添付図面を参照して説明する。
【００２３】
図１は、本発明のケーブル探査装置の実施形態の概要を示す図である。
【００２４】
ケーブル探査装置２０は、ハンディタイプのケーブル探査装置本体２１と、このケーブル探査装置本体２１に着脱自在に保持される検波器２２およびプローブ２３とより構成される。
【００２５】
ケーブル探査装置本体２１は、このケーブル探査装置本体２１を取扱うために操作する操作部２５と、検波器２２およびプローブ２３とが通信可能に接続されるジャック部２６と、外部を照明する照明具２８と、外部を撮像する撮像カメラ２９と、報知器として設けられ、外部に発光するＬＥＤ（Light Emitting Diode：発光ダイオード）３０と、取扱い上の各種データや画像を表示する表示部３１と、ヘッドホンジャック３２と、内蔵マイク３３と、スピーカ３４と、必要によりケーブル探査装置本体２１側に通信接続されるヘッドホン・マイク４０（図３参照）と、から構成される。
【００２６】
このケーブル探査装置２０は、２個を１組としてそれぞれ離間した場所から同時に使用するように取り扱われる。
【００２７】
例えば、図２に示すように、１つのケーブル探査装置２０（２０ａ，２０ｂ）の一方側の検波表示回路２７ａと、他の１つのケーブル探査装置２０ｂ側の検波表示回路２７ｂが用いられ、探査ケーブルである単芯ケーブル５０の芯線部５０ａと、他方側の被覆部５０ｂ側にて用いられる。
【００２８】
このケーブル探査装置２０の検波器２２は、図１に示すように、例えば２個のダイオード２２ａ，２２ｂを相互に逆向きに並列接続し、図２に示すように、保護層２２ｃにより被覆するように一体化して構成したものである。
【００２９】
また、検波器２２のダイオード２２ａ，２２ｂには、図２に示すように、ケーブル探査装置本体２１のＬＥＤ３０がループに通電接続され、検波表示回路２７が構成される。
【００３０】
従って、ケーブル探査装置２０ａ側の検波器２２を単芯ケーブル５０の芯線部５０ａに近接させると、検波表示回路２７（検波表示回路２７ａと称する。）のＬＥＤ３０側から高周波電力を供給することにより、単芯ケーブル５０の芯線部５０ａへ、高周波信号（高周波電力）ａが励起されるようになっている。
【００３１】
この単芯ケーブル５０の芯線部５０ａに励振作用する高周波信号ａは、単芯ケーブル５０側の、途中部分において、被覆部５０ｂへケーブル探査装置２０ｂ側の検波器２２を近接させると、検波表示回路２７（検波表示回路２７ｂと称する。）に高周波信号ｂが励起されて、ＬＥＤ３０に電力供給され、このＬＥＤ３０が光を放つようになるものである。
【００３２】
検波器２２は、ケーブル探査装置本体２１のジャック部２６に着脱自在に通電か接続され、ジャック部２６に取付けることにより、検波表示回路２７に通電されるようになっている。
【００３３】
プローブ２３は、単芯ケーブル５０が暗い場所や狭い場所あるいは奥まった場所に配線されている場合に、必要に応じて用いられるものである。このプローブ２３は、図１に示すように、延長コード部２３ａと、この延長コード部２３ａの一端側に備えられ、ケーブル探査装置本体２１側のジャック部２６側に保持される端子部２３ｂと、延長コード部２３ａの他端側に備えられ、先端部を鉤形に形成したケーブル掛具２３ｃと、延長コード部２３ａの他端側に備えられ、分岐ケーブル２３ｄの先端部に設けたジャック部２３ｅと、から構成される。
【００３４】
ジャック部２３ｅは、プローブ２３が必要に応じて使用される場合に、図示しない検波器２２が取付けられて使用される。従って、奥まった場所や狭い場所に探査対象ケーブルがある場合に、プローブ２３のケーブル掛具２３ｃを利用して探査対象ケーブルを引き出し、それから検波器２２を取付けたジャック部２３ｅを単芯ケーブル５０側に近接させることができる。
【００３５】
次に、ケーブル探査装置本体２１側において、操作部２５は、ケーブル探査装置本体２１全体の制御・調整を手動で操作する複数の操作ボタン２５ａを備えたもので、検波器２２側の受信感度，照明具２８の照度，撮像カメラ２９の感度，ＬＥＤ３０の照度等の調整を行うものである。
【００３６】
ジャック部２６は、検波器２２を機械的に着脱自在に保持されるもので、検波器２２の保護層２２ｃを挟み込むことにより、導電的に取付けられる。
【００３７】
また、プローブ２３についても、必要によりその端子部２３ｂを挟み込むことにより、導電的に接続される。
【００３８】
照明具２８は、ケーブル探査装置本体２１が取り扱われた際、検波器２２側および単芯ケーブル５０側の少なくとも一方を照明可能なようにケーブル探査装置本体２１の前方部に設けたものである。従って、暗い場所や狭い場所で検波器２２を探査対象ケーブルに近づけるに際して、取扱者側にて探し易くなる。
【００３９】
また、ケーブル探査装置本体２１には、表示部３１、ヘッドホンジャック３２、内蔵マイク３３およびスピーカ３４がそれぞれ備えられ、ケーブル探査装置本体２１にトランシーバ機能や携帯電話機能（メール機能）等の通信機能を備えることができる。
【００４０】
表示部３１は、一方の端子群側と他方の端子群側との通信の際に、その通信内容を必要に応じて画面表示して利用することができる。
【００４１】
ケーブル探査装置２０の通信機能として、電話機能を採用した場合、その電話内容を記号または符号等で画面表示することができる。
【００４２】
ヘッドホンジャック３２には、図３に示すヘッドホン・マイク４０の接続ピン４０ｂが差し込まれてヘッドホン・マイク４０が使用される。
【００４３】
このヘッドホン・マイク４０は、作業場の周辺が、雑音が高く通話が困難な際に使用することができる。
【００４４】
また、内蔵マイク３３およびスピーカ３４は、ヘッドホン・マイク４０を使用する必要がなく通話に差し支えない状況の時に使用することができる。
【００４５】
更にまた、ヘッドホン・マイク４０は、図３に示すように、接続コード部４０ａの位置側に接続ピン４０ｂが、他側にヘッドホン部４０ｃがそれぞれ設けられ、ヘッドホン・マイク４０の接続ピン４０ｂは，ケーブル探査装置本体２１側のヘッドホンジャック３２側に通信接続される接続ピン４０ｂと、反対側に接続されるヘッドホン部４０ｃおよびこのヘッドホン部４０ｃに接続されるマイク４０ｄとより構成される。
【００４６】
一方、ケーブル探査装置本体２１内には、図４に示すように、表示部３１および操作部２５側に通信接続される制御回路３７と、ヘッドホン・マイク４０等の作動機器を作動させる作動回路群３８を備えている。
【００４７】
制御回路３７は、作動回路群３８の各作動回路を個々に制御して、ヘッドホン・マイク４０と、内蔵マイク３３およびスピーカ３４と、検波器２２と、プローブ２３と、ＬＥＤ３０のそれぞれを制御可能に設けている。
【００４８】
この作動回路群３８は、具体的には図４に示すように、無線回路３８ａ，ベースバンド回路３８ｂ，増幅器３８ｃ，検波回路３８ｄ，検波表示回路３８ｅ，Ｆ／Ｆ（フリップフロップ）回路３８ｆとから構成される。
【００４９】
ヘッドホン・マイク４０は、無線回路３８ａを介して、ケーブル探査装置２０ａおよび２０ｂ間で通信可能に設けている。
【００５０】
また、内蔵マイク３３およびスピーカ３４は、ヘッドホン・マイク４０と同様に、無線回路３８ａ、ケーブル探査装置２０ａおよび２０ｂ間で通信が可能に調整するものである。
【００５１】
更に、検波器２２は、検波回路３８ｄにより探査対象ケーブル側からの高周波電力を検出（受信）する検波回路３８ｄと、この検波回路３８ｄにより受信した高周波電力を増幅する増幅器３８ｃを介して制御回路３７側へ出力するものである。
【００５２】
プローブ２３は、図１に示すジャック部２３ｅ側の検波器２２にて受信した高周波信号ａにインターバル（時間）をかけることにより、ノイズ信号が混入した場合における、正・誤信号の判別を行うことができる信号処理技術を採用している。
【００５３】
すなわち、高周波信号ｂを、所望のインターバルにて受信可能なようにＦ／Ｆ回路３８ｆを通過させることにより、検波表示回路３８ｅから出力される高周波信号ｂの正信号を正しく検出することができる。
【００５４】
また、ＬＥＤ３０は、検波器２２が単芯ケーブル５０側から高周波信号ｂを受信することにより、自動的に光が放つようになっている。
【００５５】
次に、ケーブル探査装置２０の使用例について、図２を参照して詳細に説明する。
【００５６】
一方の配線路側の取扱者により、１本のケーブルである特定の単芯ケーブル５０が、探査対象ケーブルとして選定されたとする。
【００５７】
この一方の配線路側の取扱者がケーブル探査装置２０ａを操作して検波器２２側を芯線ケーブル５０の芯線部５０ａに近接（または接触）させることにより、検波表示回路２７ａが作動して、検波器２２から高周波信号（高周波電力）ａが出力される芯線ケーブル５０の芯線部５０ａ側へ励起されるようになっている。
【００５８】
検波表示回路２７ａ側から出力される高周波信号ａは、検波器２２にループに接続されるＬＥＤ３０側から光電変換により電力を供給するようになっている。なお、供給する電源としては、必要により、他の電源から供給することもできる。
【００５９】
ケーブル探査装置２０ａ側の検波器２２は、高周波信号ａを出力するにあたって、ＶＨＳ帯の周波数に共振させるために、ダイオード２２ａ，２２ｂが選定される。
【００６０】
ケーブル探査装置２０ａ側の検波器２２は、ＶＨＳ帯（例えば30〜300Mhz帯）による高周波電力（W）を芯線ケーブル５０側へ励起させることにより、ケーブル探査装置２０ｂ側の検波器２２側へ高周波電力が電送され、高周波信号ｂとして出力されるようになっている。
【００６１】
なお、ここで、高周波信号ａとして出力する高周波電力は、高周波帯域のＵＨＦ帯のものを用いることができる。
【００６２】
これらのＶＨＳ帯およびＵＨＳ帯の波長は、ＶＨＳ帯が１０ｍ〜１ｍ、また、ＵＨＳ帯が１ｍ〜０．１ｍである。
【００６３】
これらの波長帯域によれば、比較的波長が短く、また、共振周波数がλ／４の整数倍長の長さでよいため、図示しない受信アンテナ長が比較的短いものでよく、また、ＵＨＳ帯を用いる場合には、ＶＨＳ帯と比べて漏洩信号出力は周波数比で小さくなるが、ケーブル探査装置２０ｂ側において受信する検出信号である高周波信号ｂは、比較的高出力で受信することができる。
【００６４】
次に、他方の配線路側の取扱者により、ケーブル探査装置２０ｂの通信機能を用いて、一方側の取扱者により取り扱われるケーブル探査装置２０ａ側と相互に通信を行うことができる。そして、このケーブル探査装置２０ａおよび２０ｂ間の通信により、探査対象ケーブルである単芯ケーブル５０を見つけ出すことがでかきる。
【００６５】
通信データには、単芯ケーブル５０の色、形、その他の特徴等の情報データが含まれる。従って、ケーブル探査装置２０ｂ側における単芯ケーブル５０の絞り込みが容易に行なわれるようになっている。
【００６６】
ケーブル探査装置２０ｂ側は、単芯ケーブル５０側から出力される高周波信号ｂを、比較的高出力として受信することがでることから、ケーブル探査装置本体２１の検波器２２を、単芯ケーブル５０の、中間部において被覆の上から近接させて行うこともできる。従って、ケーブル探査装置２０ｂ側の検波器２２においては、芯線部５０ａを流れる高周波信号ｂを検波表示回路２７側が受信することにより、ＬＥＤ３０に高周波電波が流れ、発光するようになっている。
【００６７】
次に、ケーブル探査装置２０の作用を、取扱者による作業手順に従って説明する。
【００６８】
一方の端子盤側の取扱者により配線路（図示せず）に配設されたケーブル群の中から探査対象ケーブルである、例えば単芯ケーブル５０を特定する。この特定された単芯ケーブル５０の線芯部５０ａにケーブル探査装置２０ａ側の検波表示回路２７の検波器２２を手操作により近接させる。
【００６９】
すると、単芯ケーブル５０の芯線部５０ａ側に高周波電力が励起され、これが高周波信号ａとして配線路の他方側へ電送される。
【００７０】
次に、単芯ケーブル５０が探査された際には、図２に示すように、検波器２２側からこの単芯ケーブル５０の芯線部５０ａ側へ高周波発信がなされる。
【００７１】
なお、検波器２２により単芯ケーブル５０の芯線部５０ａが見つからなかった際には、次の候補の探査対象ケーブルが見つかるまで順次探査作業を行う。
【００７２】
次に、探査作業により、検波表示回路２７ｂが、図２に示すように、単芯ケーブル５０の途中部分に被覆部５０ｂを介して高周波信号ｂを受信すると、検波表示回路２７ｂのＬＥＤ３０のループ回路を流れ、ＬＥＤ３０に通電して光を放つ。
【００７３】
従って、この放電による光が放たれたことにより、単芯ケーブル５０が探査対象ケーブルであることを取扱者側へ報知される。
【００７４】
ここで、探査対象ケーブルである単芯ケーブル５０をケーブル探査装置２０ｂ側にて検出するにあたって、前以て、ケーブル探査装置２０ｂ側の取扱者側にて、凡その見当をつけるために、ケーブル探査装置２０ａおよびケーブル探査装置２０ｂの双方の電話機能を含む通信機能を利用して連絡を取り合う。
【００７５】
この連絡は、一方の取扱者側から他方の取扱者側へ、内蔵マイク３３およびスピーカ３４を利用した音声による連絡、表示部３１を利用したメールまたは画像による連絡を適宜に用いる。
【００７６】
また、この内蔵マイク３３およびスピーカ３４を用いる際、周囲の雑音により聞き取れない場合には、図３に示すヘッドホン・マイク４０を用いる。
【００７７】
このヘッドホン・マイク４０を用いるに際して、接続ピン４０ｂをケーブル探査装置２０ｂ側のヘッドホンジャック３２に差し込む。
【００７８】
更に、上記連絡により探査対象ケーブル（図示せず）の情報を得たケーブル探査装置２０ｂ側の取扱者は、単芯ケーブル５０が、例えば配線路の狭い場所の中にあったり、あるいは暗い場所にあった場合には、プローブ２３を用いる。
【００７９】
すなわち、図１に示すように、端子部２３ｂを先ずケーブル探査装置２０ｂのジャック部２６に導電的に取付ける。
【００８０】
そして、ケーブル掛具２３ｃを用いて、暗い場所（または狭い場所）から探査対象ケーブルと思われる（対象）ケーブルを引き出す。
【００８１】
続いて、ジャック部２３ｅを用いて、検波器２２を取り付け、上記（対象）ケーブルに側に近接（接触）させる。
【００８２】
検波器２２による探査ができなかった際には、次の候補の（対象）ケーブルを選定して、単芯ケーブル５０が見つかるまで、同様の作業を行う。
【００８３】
ケーブル探査装置２０ａ（２０ｂ）によれば、ケーブル探査装置本体２１に設けられる照明具２８と、この照明具２８に照明可能に設けられる検波器２２と、この検波器２２により探査対象ケーブル側から発する高周波信号ｂを検出すると同時に、上記ケーブル探査装置本体２１が取り扱われた際、上記検波器２２および探査対象ケーブルの少なくとも一方を照明可能に設けたから、暗い場所においても、探査対象ケーブルの探査が可能となり、取扱者にとって極めてその取扱いが便利なものとなる。
【００８４】
また、ケーブル探査装置本体２１に通信手段を設け、この通信手段を操作可能に操作部２５を備える一方、通信内容を表示する表示部３１を設けたから、取扱者にとって極めてその取扱いが便利となる。
【００８５】
なお、ケーブル探査装置本体２１の通信手段は、無線による通信手段と、有線による通信手段があるが、有線による通信手段を用いる場合には、探索ケーブルを介して通信を行うようにすることも可能である。
【００８６】
更に、ケーブル探査装置本体２１には、撮像カメラ２９を備えたから、配線路の一方側、例えばケーブル探査装置２０ａから他方側のケーブル探査装置２０ｂ側へ、探査対象ケーブルの画像を送信することにより、よりその探査対象ケーブルの絞り込みに有用な情報提供がなされる。
【００８７】
従って、特にケーブル探査装置２０ｂ側における取扱者にとって、探索作業が極めて容易となる。
【００８８】
更にまた、ケーブル探査装置本体２１は、無線または有線により通信するにあたり、この通信内容を記号または符号で表示する表示部３１を備えたことにより、取扱者にとって、探索作業が極めて容易となる。
【００８９】
更には、ケーブル探査装置本体２１は、有線および無線通信するにあたり、この通信内容を音声信号に変換して送受信可能に設けられるヘットボン・マイク４０を備えたことにより、取扱者にとって、探索作業が極めて容易となる。
【００９０】
また、検波表示回路２７ａ（２７ｂ）側に備えたＬＥＤ３０は、検波器２２により信号を検知した際に励起される電流により発光するＬＥＤ３０を採用したので、小型且つ軽量であり、また、低電流により目視可能な光を放つことができ、実用上有用となる。
【００９１】
更に、検波表示回路２７ａ（２７ｂ）のジャック部２６には、着脱自在に検波器２２およびプローブ２３を選択的且つ着脱自在に保持できるようにしたから、検波表示回路２７ｂ側において、例えば奥まった場所に探査対象ケーブルが位置するような場合には、プローブ２３の先端部に備えられるケーブル掛部２３ｃを利用して引き出すことができ、取扱者にとって、探索対象ケーブルの絞り込み時において、実使用上便利なものとなる。
【００９２】
また、ケーブル探査装置本体２１には、音声にて表示するスピーカ３４を備えたから、この通信内容を音声による探査対象ケーブルの認識がより正確なり、取扱者にとって、その探索作業が極めて容易となる。
【図面の簡単な説明】
【００９３】
【図１】本発明に係るケーブル探査装置の実施形態を示す概要図。
【図２】本発明に係るケーブル探査装置のケーブル探査機能の原理を示す図。
【図３】本発明に係るケーブル探査装置に用いられるヘッドホン組立の斜視図。
【図４】本発明に係るケーブル探査装置における各信号回路の系統図と各回路構成部品との関係を示す図。
【図５】従来のケーブル探査装置の概要を示す図。
【図６】従来の他のケーブル探査装置の概要を示す図。
【符号の説明】
【００９４】
２０（２０ａ，２０ｂ）  ケーブル探査装置
２１  ケーブル探査装置本体
２２  検波器
２２ａ，２２ｂ  ダイオード
２２ｃ  保護層
２３  プローブ
２３ａ  延長コード部
２３ｂ  端子部
２３ｃ  ケーブル掛具
２３ｄ  分岐ケーブル
２３ｅ  ジャック部
２５  操作部
２５ａ  操作ボタン
２６  ジャック部
２７ａ，２７ｂ  検波表示回路
２８  照明具
２９  撮像カメラ
３０  ＬＥＤ（Light Emitting Diode：発光ダイオード）（報知器）
３１  表示部
３２  ヘットホン・ジャック
３３  内蔵マイク
３４  スピーカ
３７  制御回路
３８  作動回路群
４０  ヘッドホン・マイク
４０ａ  接続コード部
４０ｂ  接続ピン
４０ｃ  ヘッドホン部
４０ｄ  マイク
５０  単芯ケーブル（探査対象ケーブル）
５０ａ  芯線部
５０ｂ  被覆部
ａ，ｂ  高周波信号
【図１】
2006133081.tif 000003
【図２】
2006133081.tif 000004
【図３】
2006133081.tif 000005
【図４】
2006133081.tif 000006
【図５】
2006133081.tif 000007
【図６】
2006133081.tif 000008